(57)【特許請求の範囲】
【請求項１】
底面を開口した電気絶縁性の電気湯沸かし器本体の下枠と、前記下枠の下面の開口部を覆う導電性の裏板と、充電部を備えた水を収容する容器と、前記裏板と前記下枠に設けた孔を貫通して前記裏板と前記容器を固定する導電性のねじとを備え、前記下枠はねじが貫通する部分には前記裏板側から見て凹部を設け、前記凹部内に前記凹部の深さとほぼ同じ高さのスペーサを前記凹部の底と前記裏板の裏面に当接するように挿入して前記スペーサを介して前記裏板を固定し、前記凹部は円形ないし正方形で前記スペーサは筒状とし前記スペーサの内径に前記スペーサの厚さを加えた寸法を前記凹部の半径または一辺の２分の１と裏板の取付孔の半径を加えた寸法以上にした電気湯沸かし器。
【請求項２】
底面を開口した電気絶縁性の電気湯沸かし器本体の下枠と、前記下枠の下面の開口部を覆う導電性の裏板と、充電部を備えた水を収容する容器と、前記裏板と前記下枠に設けた孔を貫通して前記裏板と前記容器を固定する導電性のねじとを備え、前記下枠はねじが貫通する部分には前記裏板側から見て凹部を設け、前記凹部内に前記凹部の深さとほぼ同じ高さのスペーサを前記凹部の底と前記裏板の裏面に当接するように挿入して前記スペーサを介して前記裏板を固定し、前記凹部は円形ないし正方形で前記スペーサは筒状とし前記スペーサの内径に前記スペーサの厚さを加えた寸法を前記凹部の半径または一辺の２分の１と裏板を取り付けるねじ頭の半径を加えた寸法以下にした電気湯沸かし器。
【発明の詳細な説明】
【０００１】
【発明の属する技術分野】
本発明は充電部を備えた水を収容する容器を本体の裏板側から固定する電気湯沸かし器の電気的絶縁に関するものである。
【０００２】
【従来の技術】
近年、この種の電気湯沸かし器などで裏板が導電性の材料で形成されたものは、充電部を備えた容器と裏板とを電気的に切り離すため特願平０９−２８０１２８号公報に示されているような構造が一般的になってきた。図９および図１０にその構造を示す。すなわち、１は上方を開口した水を入れる容器で、容器１の底にはヒーター２が密着して取り付けられている。３は容器１の下部を覆う樹脂製の本体の下枠で、下枠３の底面には電気部品取付用の開口部４が設けられ、開口部４は通常は金属製の裏板５で覆われている。下枠３には中央に貫通孔６を備えた凹部７が設けられ、容器１は凹部７側から貫通孔６を通したねじ８を容器１に取り付けられた容器支持板１１に締め付けることによって下枠３に固定される。容器支持板１１は金属などの導電性の材料で形成され容器１と電気的につながっている。ねじ８の頭は、電気湯沸かし器に通電して容器１や下枠３の温度が上がった時に座屈しにくいように大きくしてある。９は裏板５を下枠３に固定する裏板固定ねじで、裏板５は容器１と電気的に切り離されて取り付けられている。１０はヒーター２と電源とを接続する本体内の配線である。
【０００３】
次に、前記従来例の電気湯沸かし器における電気的な絶縁について説明する。容器１を固定しているねじ８は凹部７内に沈み込ませ裏板５で覆っているため、容器１内のヒーター２の電気絶縁が破壊されても電気的につながったねじ８に触れることはない。さらに裏板５は単独で樹脂製の下枠３に固定してあるため、容器１と絶縁されている。
【０００４】
【発明が解決しようとする課題】
しかしながら、前記従来の構成の電気湯沸かし器を、ＩＥＣ規格などを採用している国に輸出する場合には配線１０が金属製の裏板５に触れないようにしなければならず、絶縁構成や部品を日本国内向けとは変える必要があった。また、配線１０が裏板５に触れる場合には裏板５はアース接続する必要があり、下枠３を日本国内向けと輸出向けとで使い分けなければならないといった課題も有していた。
【０００５】
本発明はこのような従来の課題を解決するものであり、簡単な変更で日本国内向けと輸出向けの両方に対応できるようにすることを目的としている。
【０００６】
【課題を解決するための手段】
前記従来課題を解決するために本発明は、導電性の裏板と絶縁性の下枠に設けた孔を貫通して前記裏板と水を収容する充電部を備えた容器を固定する導電性のねじとを備え、前記下枠のねじが貫通する部分には裏板側から見て凹部を形成し、この凹部の深さとほぼ同じ高さのスペーサを端面が前記凹部の底と裏板の裏面に当接するように凹部に挿入して前記スペーサを介して前記裏板を固定したものある。
【０００７】
これにより、電気湯沸かし器をたとえば輸出向けとする場合には導電性のねじを裏板と下枠を貫通させて容器に締め付ければ、ねじを介して裏板と容器を電気的に接続することができる。この時、凹部に凹部の深さとほぼ同じ高さのスペーサを挿入してあるので、ねじを締め付けても裏板が変形してしまうことがない。
【０００８】
また、電気湯沸かし器を日本向けとする場合には従来と同様にスペーサを使用せずに容器と下枠を固定するねじと、裏板と下枠を固定するねじを別にすればよい。
【０００９】
【発明の実施の形態】
本発明の請求項１記載の発明は、底面を開口した電気絶縁性の電気湯沸かし器本体の下枠と、前記下枠の下面の開口部を覆う導電性の裏板と、充電部を備えた水を収容する容器と、前記裏板と前記下枠に設けた孔を貫通して前記裏板と前記容器を固定するねじとを備え、前記下枠はねじが貫通する部分には前記裏板側から見て凹部を設け、前記凹部内に前記凹部の深さとほぼ同じ高さのスペーサを前記凹部の底と前記裏板の裏面に当接するように挿入して前記スペーサを介して前記裏板を固定したものである。電気湯沸かし器を輸出向けとする場合には導電性のねじを裏板と下枠を貫通させて容器に締め付ければ、ねじを介して裏板と容器を電気的に接続することができる。この時、凹部に凹部の深さとほぼ同じ高さのスペーサを挿入してあるので、ねじを締め付けても裏板が変形してしまうことがない。
【００１０】
さらに、凹部は円形ないし正形でスペーサは筒状とし、前記スペーサの内径に前記スペーサの片側の板厚を加えた寸法を凹部の半径または一辺の２分の１と裏板の取付孔の半径を加えた寸法以上にしたもので、ねじを裏板側から締め付ける時にスペーサが凹部の中で片側に寄っても前記スペーサ端面が裏板の孔を塞いでしまうことがなく、組み立てが容易となる。
【００１１】
本発明の請求項２記載の発明は、底面を開口した電気絶縁性の電気湯沸かし器本体の下枠と、前記下枠の下面の開口部を覆う導電性の裏板と、充電部を備えた水を収容する容器と、前記裏板と前記下枠に設けた孔を貫通して前記裏板と前記容器を固定するねじとを備え、前記下枠はねじが貫通する部分には前記裏板側から見て凹部を設け、前記凹部内に前記凹部の深さとほぼ同じ高さのスペーサを前記凹部の底と前記裏板の裏面に当接するように挿入して前記スペーサを介して前記裏板を固定したものである。電気湯沸かし器を輸出向けとする場合には導電性のねじを裏板と下枠を貫通させて容器に締め付ければ、ねじを介して裏板と容器を電気的に接続することができる。この時、凹部に凹部の深さとほぼ同じ高さのスペーサを挿入してあるので、ねじを締め付けても裏板が変形してしまうことがない。さらに、凹部は円形ないし正方形でスペーサは筒状とし、前記スペーサの内径に前記スペーサの片側の板厚を加えた寸法を前記凹部の半径または一辺の２分の１と裏板を取り付けるねじ頭の半径を加えた寸法以下にしたもので、スペーサが凹部の中で片側に寄ってもスペーサ端面がねじの頭平面部の下に必ずかかり、ねじを締め付けた時に裏板が変形するのを確実に防ぐことができる。
【００１２】
【実施例】
以下本発明の実施例について図面を参照して説明する。
【００１３】
（実施例１）
図１は実施例１の電気湯沸かし器の下部の要部断面を示す図、図２は同電気湯沸かし器の要部拡大断面を示す図、図３は同電気湯沸かし器の下面を示す図である。図１から図３において、２１は上方を開口した水を入れる容器で、容器２１の底にはヒーター２２が密着して取り付けられている。２３は容器２１の下部を覆う樹脂製の本体下枠で、下枠２３の底面には開口部２４が設けられ、開口部２４は金属製の裏板２５で覆われている。下枠２３には図３に示すように中央上下に貫通孔２６を備えた凹部２７が設けられ、凹部２７には凹部２７の深さとほぼ同じ高さのスペーサ２８が挿入されている。筒状のスペーサ２８の内径はねじ３０の頭（寸法ｄ）にかかるように設定してある。容器２１は裏板２５の孔２９、スペーサ２８、凹部２７の貫通孔２６を通した金属製のねじ３０を容器２１に取り付けられた容器支持板３３に締め付けることによって下枠２３に固定される。容器支持板３３は金属などの導電性の材料で形成され容器２１と電気的につながっている。３１はヒーター２２と電源とを接続する本体内の配線、３２は容器２１に接続されたアース線である。
【００１４】
次に、前述した電気湯沸かし器の作用について説明する。容器２１を固定する時に、金属製のねじ３０を裏板２５の孔２９、スペーサ２８、凹部２７の貫通孔２６を通して容器支持板３３に締め付けているため、裏板２５は電気的に容器２１と接続されたことになる。すると、容器２１にはアース線３２が接続されているため、金属で電気的につながった裏板２５もアースされたことになり、配線３１が裏板２５に触れても問題なく、ＩＥＣ規格などを採用している国にも輸出することができる。
【００１５】
また、凹部２７には凹部２７の深さとほぼ同じ高さのスペーサ２８を挿入してあるので、ねじ３０を締め付けても裏板２５が支えられ変形してしまうことがない。
【００１６】
さらに、電気湯沸かし器を日本向けとする場合には従来と同様に容器２１と下枠２３を固定するねじと、裏板２５と下枠２３を固定するねじを別にすればよく、スペーサ２８とねじの使い分けで輸出向けと日本向けとを組み立てることができる。
【００１７】
なお、図ではスペーサ２８を筒状としているが、スペーサ２８は凹部の深さとほぼ同じ高さで、ねじ３０を通すことができるものであればよい。
【００１８】
（実施例２）
図４は実施例２を示す電気湯沸かし器の下枠の凹部平面とスペーサ断面を示す図である。図４では、スペーサ２８の内径にスペーサ２８の片側の板厚を加えた寸法ａを凹部２７の半径ｂと裏板２５の孔２６の半径ｃを加えた寸法以上にしたもので、ねじ３０を裏板２５側から締め付ける時にスペーサ２８が凹部２７の中で端に寄ってもスペーサ２８の内径が裏板２５の孔２９を越えているため、スペーサ２８の端面が裏板２５の孔２９を塞いでしまうことがない。
【００１９】
従って、スペーサ２８を凹部２７に入れても組み立てに支障をきたすことがなく、組み立てが容易となる。
【００２０】
（実施例３）
図５は実施例３の電気湯沸かし器の要部断面を示す図である。図５では、スペーサ２８の内径にスペーサ２８の片側の板厚を加えた寸法ａを凹部２７の半径ｂとねじ３０の頭の半径ｄを加えた寸法以下にしたもので、スペーサ２８が凹部２７の中で片側に寄ってもスペーサ２８端面がねじ３０の頭の平面の下に必ずあり、ねじ３０を締め付けた時に裏板２５が変形するのを確実に防ぐことができる。
【００２１】
（参考例１）
図６は参考例１の電気湯沸かし器の要部断面を示す図である。図６では、スペーサ２８の外径を凹部２７の深さよりも大きくしたもので、組み立てる時にスペーサ２８が凹部２７の中で横向きに倒れると、スペーサ２８が凹部２７から飛び出す。すると、裏板２５がスペーサ２８に乗り上げて浮き上がり、スペーサ２８の倒れていることが容易にわかる。
【００２２】
（参考例２）
図７は参考例２の電気湯沸かし器の下枠凹部とスペーサの断面を示す図である。図７では、凹部２７の直径をスペーサ２８が横向きに挿入された時に入らない寸法としたもので、組み立てる時に誤ってスペーサ２８を横向きに凹部２７に落としても凹部２７に入らないためすぐに取り出すことができ、便利である。
【００２３】
（参考例３）
図８は参考例３の電気湯沸かし器の下枠凹部の要部平面を示す図である。図８では、スペーサ端面２８ａと凹部２７の底が圧接される力を、下枠２３を形成する材料の使用温度における熱変形応力を越えないようスペーサ端面２８ａの面積を大きくしてある。また、スペーサ２８は金属などの耐熱性材料で形成してあり、電気湯沸かし器に通電して容器２１や下枠２３の温度が上がった時にスペーサ２８が下枠２３にくい込んだりスペーサ２８自体が熱で変形したりすることがない。スペーサ２８の板厚が薄い場合にはフランジを設けるなどしてスペーサ端面２８ａの面積を大きくしてもよい。
【００２４】
【発明の効果】
以上のように、本発明によれば、裏板と下枠に設けた孔を貫通して裏板と容器を固定する導電性のねじとを備え、下枠のねじが貫通する部分を裏板側から見て凹部を設け、この凹部の深さとほぼ同じ高さのスペーサをスペーサ端面が凹部の底と裏板に当接するようにして凹部に挿入したもので、金属製の裏板のアース接続を要求される場合には導電性のねじを裏板と下枠を貫通させて容器支持板に締め付ければ、ねじを介して裏板と容器を電気的に接続することができる。この時、凹部に凹部の深さとほぼ同じ高さのスペーサを挿入してあるので、ねじを締め付けても裏板が変形してしまうことがない。
【図面の簡単な説明】
【図１】本発明の実施例１を示す電気湯沸かし器の下部の要部断面図
【図２】同電気湯沸かし器の要部拡大断面図
【図３】同電気湯沸かし器の下面図
【図４】本発明の実施例２を示す電気湯沸かし器の下部の凹部平面とスペーサの断面図
【図５】本発明の実施例３を示す電気湯沸かし器の要部断面図
【図６】本発明の参考例１を示す電気湯沸かし器の要部断面図
【図７】本発明の参考例２を示す電気湯沸かし器の下部の凹部とスペーサの断面図
【図８】本発明の参考例３を示す電気湯沸かし器の下部の凹部平面図
【図９】従来例を示す電気湯沸かし器の要部断面図
【図１０】同電気湯沸かし器の要部拡大断面図
【符号の説明】
２１    容器
２３    下枠
２４    開口部
２５    裏板
２６    貫通孔
２７    凹部
２８    スペーサ
２８ａ  スペーサ端面
２９    孔
３０    ねじ
【図１】
0003575414.tif 000002
【図２】
0003575414.tif 000003
【図３】
0003575414.tif 000004
【図４】
0003575414.tif 000005
【図５】
0003575414.tif 000006
【図６】
0003575414.tif 000007
【図７】
0003575414.tif 000008
【図８】
0003575414.tif 000009
【図９】
0003575414.tif 000010
【図１０】
0003575414.tif 000011